(57)【要約】【課題】  使用中の落下による松脂の粉砕を防ぐことのできる松脂ケースを提供する。【解決手段】  松脂ケースは、松脂ｌを収容する円筒状の容器本体ｆと、松脂ｌを先端に有し、松脂ｌを容器本体ｆに収容するための弾性体（コイル状のバネ）を有する押出しロッドｃと、を備える。弾性体は、押出しロッドｃを松脂ｌが容器本体ｆに収容される方向に付勢する。松脂ｌを使用する場合には、押出しロッドｃの上端部に取り付けられるレバーａを押圧する。レバーａが押圧されると押出しロッドｃは松脂ｌの方向に変位し、松脂ｌは容器本体から露出する。押圧力が無くなると、弾性体の弾性力により松脂ｌは容器本体ｆに収容される。【選択図】図１
2019148783.tif 000002
【特許請求の範囲】
【請求項１】
一方の底部が開口し、他方の底部の中央部に貫通穴を有し、松脂を収容する筒状の容器本体と、
前記貫通穴に挿通され、一端に前記松脂を支持する押出しロッドと、
前記押出しロッドを前記松脂が前記容器本体に収容される方向に付勢する弾性体と、
を備える松脂ケース。
【請求項２】
前記容器本体と前記松脂は、
いずれも前記押出しロッドを中心として回転対称に配置される請求項１に記載の松脂ケース。
【請求項３】
前記容器本体は、
収容する前記松脂よりも大きな内径を有する円筒状の容器である請求項１又は請求項２に記載の松脂ケース。
【請求項４】
前記貫通穴は、
前記貫通穴の周壁面に、内側に向かって突出する突起を上下位置にそれぞれ一対ずつ、ずらして備える請求項１から請求項３までのいずれか１項に記載の松脂ケース。
【請求項５】
前記押出しロッドは、
螺旋状にねじり加工された凹部を有するロッド本体と、
前記ロッド本体の上端部に配置されるレバーと、
前記ロッド本体の下端部に接合される前記松脂と、
前記ロッド本体の下端の前記松脂の上方に配置されるリングと、
を備える請求項１から請求項４までのいずれか１項に記載の松脂ケース。
【請求項６】
前記レバーは、
下方に前記ロッド本体の上端を収容する収容室と、
前記ロッド本体の上端の外径よりも大きな内径の開口を有する収容室の底部と、
前記収容室の内部に設置される引っ掛け部と、
を備える請求項５に記載の松脂ケース。
【請求項７】
前記リングと前記ロッド本体の下端の間に、弓毛の幅方向の移動を規制するガイドを備える請求項５に記載の松脂ケース。
【請求項８】
前記ガイドは、
前記松脂の外径より大きく、前記容器本体の内径よりも小さい直径を有し、中心部に前記ロッド本体の外径よりも内径が大きい貫通孔を有する円形板と、
前記円形板の一部の側面から前記容器本体の高さ方向に延びる一対のガイド板と、
を備える請求項７に記載の松脂ケース。
【発明の詳細な説明】
【技術分野】
【０００１】  本発明は、松脂ケースに関する。
【背景技術】
【０００２】  弦楽器の弓毛に塗布する松脂は衝撃にとても弱く、粉砕しやすい。破損の最も大きな原因となるのは、ケースからの「取り出し辛さ・収納し辛さ」による使用時の手元からの落下である。【０００３】  松脂は、別体に形成された容器のキャップと容器、または布製のポーチに収められている仕様である。使用時には、松脂を収納されているケースやポーチから取り出し、使用後に再び容器に収納する必要があり、かなりの手間がかかる。【０００４】  この点に関し、松脂全体を、溝を設けたケースに収納し、松脂を弾性体によって溝の方向に付勢する技術が提案されている（例えば特許文献１）。【０００５】  しかし、この技術では、松脂の収納は手動で行わなくてはならない。そのため、使用中に製品を落下させてしまった場合、松脂は露出しているため、破損する恐れがあり、使い勝手の良いものとはいえない。
【先行技術文献】
【特許文献】
【０００６】
【特許文献１】中華人民共和国  実用新案登録第９３２４２９４０．８号公報
【発明の概要】
【発明が解決しようとする課題】
【０００７】  従って、松脂の収納・取り出しが容易で、使用中の落下による粉砕を防ぐことのできる松脂ケースが求められている。【０００８】  また、松脂の塗布において、長さのある弓毛を小さな松脂上で滑らせことは簡単な作業ではない。このため、弓毛に効率よく塗布することができる松脂が求められる。
【課題を解決するための手段】
【０００９】  前記課題を解決するため、本発明に係る松脂ケースは、一方の底部が開口し、他方の底部の中央部に貫通穴を有し、松脂を収容する筒状の容器本体と、前記貫通穴に挿通され、一端に前記松脂を支持する押出しロッドと、前記押出しロッドを前記松脂が前記容器本体に収容される方向に付勢する弾性体と、を備える。
【発明の効果】
【００１０】  本発明は、使用中の落下による松脂の粉砕を防ぐことのできるケースを提供する。また、このケースは松脂を効率よく弓毛に塗布することができる。
【図面の簡単な説明】
【００１１】
【図１】第１の実施形態にかかる通常時の松脂ケースの斜視図。
【図２】第１の実施形態にかかる使用時の松脂ケースの斜視図。
【図３】第１の実施形態にかかる松脂ケースのレバーとロッド上部との接合状態を示した図。
【図４】第２の実施形態にかかるロッドを備えた通常時の松脂ケースの斜視図。
【図５】第２の実施形態にかかる松脂ケースの底板の貫通穴の内部を上方と下方から見た模式図。
【図６】第２の実施形態にかかる松脂ケースのロッド本体を貫通穴ｄに挿通した状態を模式的に示す図。
【図７】第２の実施形態にかかる松脂ケースの螺旋状にねじり加工されたロッドの側面図。
【図８】第２の実施形態にかかる松脂ケースのロッド本体とレバーとの接合状態を示した模式図。
【図９】第３の実施形態にかかる松脂ケースの使用中の斜視図。
【図１０（Ａ）】第３の実施形態にかかる松脂ケースのガイドを介した松脂とロッド下端との接合状態を示した斜視図。
【図１０（Ｂ）】図１０（Ａ）に示す松脂ケースを横から見た図。
【発明を実施するための形態】
【００１２】  以下、本発明の一実施形態にかかる松脂ケースを、図面を参照しながら説明する。
【００１３】（第１の実施形態）
【００１４】  図１は本実施形態の通常時の松脂ケースの斜視図、図２は松脂ケースの使用中の斜視図である。
【００１５】  図１、図２に示すように、松脂ケースは、松脂ｌを収容する円筒状の容器本体ｆと、松脂を容器本体から押し出すための押出しロッドｃを主に有する。
【００１６】  図１および図２から分かるように、容器本体ｆと松脂ｌは、いずれも押出しロッドｃを中心として回転対称に位置している。
【００１７】  押出しロッドｃは、図１に示すように、容器本体ｆの貫通穴ｄを貫通して、容器本体ｆに対して上下方向に移動可能に設けられている。押出しロッドｃは、ロッド本体と、ロッド本体の上端に取り付けられた円盤状のレバーａと、コイル状のバネｂを有する。
【００１８】  バネｂは、ロッド本体および貫通穴ｄより大きい外径を有し、ロッド本体を囲み、ロッド本体を中心にしてレバーａと容器本体ｆの底板ｅの間に取り付けられている。レバーａは、ユーザーが親指などで押し込んで操作するための部分であり、容器本体ｆの直径よりも小さい。バネｂはロッド本体を松脂ｌとは反対の方向、すなわち、レバーａと底板ｅが互いに離れる方向に付勢する。
【００１９】  容器本体ｆは、円柱状の松脂ｌを収容するために松脂ｌよりも一回り大きな内径を有する円筒状の容器である。容器本体の上側には容器本体より大きな直径を有する底板ｅが取り付けられている。容器本体ｆの底板ｅと反対側は、後述するように松脂ｌが露出するように開口部が設けられる。底板ｅの中心部にロッド本体が上下移動するための貫通穴ｄが設けられる。
【００２０】  松脂ｌは、ロッド本体の下端ｏに支持される。ロッド本体は、レバーａと接合する一端（ロッド上端ｎ。図７参照。）と松脂ｌと接合する他端（ロッド下端ｏ）は、それぞれ、ロッド本体の直径よりやや大きい直径の円盤状の形状を有する。ロッド下端ｏの少し上方にはロッド下端ｏと同程度の直径のリングｇが取り付けられている。
【００２１】  図３は、レバーａとロッド上部との接合状態を模式的に示した図である。図３に示すように、レバーａの下方は、ロッド上端ｎを収容する収容室を有し、収容室は底部にロッド上端ｎの外形よりも一回り小さな内径の開口が形成されている。この収容室の底部に、ロッド上端ｎが引っ掛け部ｐに吊るされている。
なお、松脂ｌはロッド下端ｏに接着剤などによって接合するか、あるいはロッド下端ｏを松脂ｌに埋め込んでもよい。
【００２２】  以上に述べたように、本実施形態の松脂ケースは、松脂ｌを収容する、一方の底部が開口し他方の底部の中央部に貫通穴を有する筒状の容器本体ｆと、円盤状のレバーａと、前記貫通穴に挿通され、一端に松脂ｆを支持する押出しロッドｃと、松脂ｌを容器本体ｆの内部に収容する方向に押出しロッドｃを付勢する弾性体（バネｂ）と、を備える。松脂ｌを使用する場合には、押出しロッドｃの上端部に取り付けられるレバーａを押圧する。レバーａが押圧されると押出しロッドｃは松脂ｌの方向に変位し、松脂ｌは容器本体から露出する。押圧力が無くなると、弾性体の弾性力により松脂ｌは容器本体ｆに収容される。
【００２３】  従って、レバーａを垂直に押圧することにより押出しロッドｃと接合した松脂ｌを容器本体ｆから露出させ、レバーへの押圧力が無くなると押出しロッドｃを付勢するバネの弾性力によって松脂ｌが容器本体ｆに再び収容されることにより、使用中の落下時の松脂の粉砕を防ぐ効果がある。
【００２４】（第２の実施形態）
【００２５】  図４は、本実施形態にかかるロッド本体に螺旋状のねじり加工が施された押出しロッドを備えた、通常時の松脂ケースを示す図である。
【００２６】  図５は、本実施形態にかかる松脂ケースの底板ｅの貫通穴ｄの内部を上方（図５（Ａ））と下方（図５（Ｂ））から見た模式図である。底板ｅは貫通穴ｄを形成している周壁面に、貫通穴ｄの内側に向かって突出する一対の突起ｍを上下位置にそれぞれ有する。これらの突起ｍは、ロッド本体が螺旋状にねじり加工されたことによってできた凹部ｑと噛み合う。第２の実施形態の松脂ケースの構成は、ねじり加工がされたロッド本体と貫通穴ｄに突起ｍを備えること以外、第１の実施形態の松脂ケースの構成と同様である。従って、以下相違点のみ説明する。
【００２７】  図６は、ロッド本体を貫通穴ｄに挿通した状態を模式的に示す図である。図６に示すように、押出しロッドｃが容器本体ｆに向かって押し込められると、ロッド本体表面の凹部ｑが突起ｍに沿いながら滑り移動するために、ロッド本体の上下移動によってロッド本体は回転することができる。
【００２８】  図７はロッド本体の側面図、図８はロッド本体をレバーａに取り付けた状態を模式的に示す図である。図７のように、ねじり加工はロッド本体にのみ備えられ、図８のようにレバーａの引っ掛け部ｐにロッド上端が回転できるように吊るされているため、ロッド本体が回転してもレバーは回転しない
【００２９】  以上に述べたように、本実施形態の松脂ケースは、ロッド本体がねじり加工が施され、貫通穴ｄがロッド本体のねじり加工と噛み合う突起ｍを備える。
【００３０】  従って、この実施形態の松脂ケースは、落下による松脂の粉砕を防止するだけでなく、押出しロッドｃを押し込むことによって押出しロッドｃに取り付けられた松脂ｌを回転させながら容器本体ｆから露出することができる。それゆえ、弦楽器の使用者は弓毛を松脂に接触させる際に、松脂の回転軸周りの位置を変更できるため、松脂の片減りや弓毛が松脂の同位置を摺動することによる松脂溝の形成も防止できるという効果がある。
【００３１】（第３の実施形態）
【００３２】  図９は、本実施形態にかかるガイドｉを備えた松脂ケースの使用中の斜視図である。図１０（Ａ）は図９のガイドｉの付近の拡大図である。ガイドｉは図１０（Ａ）に示すように、松脂ｌより大きく容器本体ｆよりも小さい直径の円形板ｈと、円形板ｈの外周の一部の領域から松脂ｌの側面の一部を覆うように容器本体ｆの高さ方向に延びる一対のガイド板ｋを有する。第３の実施形態の松脂ケースの構成は、ロッド下端ｏとリングｇの間にガイドｉを備える以外、第２の実施形態のケースの構成と同様である。
【００３３】  本実施形態にかかる一対のガイド板ｋは、互いに向き合うように設置されて、それぞれが、円筒の側面を縦に割ったような、すなわち、容器本体ｆの内側面に沿うような湾曲形状を有する。また、ガイド板ｋは松脂ｌの高さより長く容器本体ｆの高さよりも短い高さを有する。それゆえ、松脂に弓を接触させるときに、松脂ｌの一対のガイド板ｋで挟まれた領域から弓が外れることが防止される。円形板ｈの中心にはロッド下端ｏ及びリングｇよりも一回り小さい直径を有する貫通孔ｊが形成されている。
【００３４】  上記の貫通孔ｊを通して、ロッド下端ｏが松脂ｌと接合している。図１０（Ａ）に示すように、ガイドｉの円形板ｈがロッド下端ｏとリングｇの間に位置するようにロッド本体はガイドｉに取り付けられる。このため、ガイドｉは松脂ｌ及び押出しロッドｃとは直接結合しておらず、押出しロッドｃが回転すると松脂ｌは回転するが、ガイドｉは回転しない。
【００３５】  図１０（Ｂ）は、図１０（Ａ）に示したガイドｉを円形板ｈの周方向において９０度異なる位置から見たガイドｉ及び松脂ｌの様子を示す図である。図１０（Ｂ）に示すように、ガイドｉは互いに松脂ｌの回転軸に対して対称となる位置に設置される。
【００３６】  ガイドｉは弓毛の幅方向の移動を規制する。ガイドｉの素材は、弓毛を傷つけにくい任意の材料が使用できる。例えば、プラスチックの板にマイクロファイバーの布を貼ったものであれば、弓毛に当たっても傷めにくく、塗布時に発生する松脂の細かい粉も吸着することができる。容器本体ｆは、落下時の衝撃を吸収できるようなゴムやスポンジ等の弾性を有する素材によって作られることが望ましい。
【００３７】  以上に述べたように、本実施形態の松脂ケースは、ロッド下端ｏとリングｇの間に、松脂ｌの側面の一部を覆うように容器本体ｆの高さ方向に延びる一対のガイド板ｋを有するガイドｉを備える
【００３８】  従って、本実施形態の松脂ケースは、落下による松脂の粉砕を防止し、松脂の片減りを防止するだけでなく、併せて塗布中に弓が松脂から逸れることなく常に接触させることができるという効果がある。それゆえ、弦楽器の使用者は効率よく弓毛に松脂を塗布することができる。
【産業上の利用可能性】
【００３９】  本発明の松脂ケースを使用することにより、松脂の落下による破損を防止することができ、松脂の片減りを防止することができ、また、松脂を弓毛に効率的に塗布することができる。それゆえ、本発明により、松脂という資源を有効利用でき、弦楽器の使用者がより演奏に集中することができるようになる。
【符号の説明】
【００４０】ａレバー
ｂバネ
ｃ押出しロッド
ｄ貫通穴
ｅ底板
ｆ容器本体
ｇリング
ｈ円形板
ｉガイド
ｊ貫通孔
ｋガイド板
ｌ松脂
ｍ突起
ｎロッド上端
ｏロッド下端
ｐ引っ掛け部
ｑ凹部
【図１】
2019148783.tif 000003
【図２】
2019148783.tif 000004
【図３】
2019148783.tif 000005
【図４】
2019148783.tif 000006
【図５】
2019148783.tif 000007
【図６】
2019148783.tif 000008
【図７】
2019148783.tif 000009
【図８】
2019148783.tif 000010
【図９】
2019148783.tif 000011
【図１０（Ａ）】
2019148783.tif 000012
【図１０（Ｂ）】
2019148783.tif 000013